(57)【特許請求の範囲】
【請求項１】
天井に配置される枠体に、発光素子を取り付ける取付面を有する取付体を前記枠体の内側面に沿って隙間を空けて設け、前記発光素子の光が前記枠体の開口から側方に向かうように前記取付体を傾斜させ、前記開口側の前記枠体と前記取付体の間に、前記取付面の裏面側に空気を取り込む取込口が設けられて、前記枠体の内側面と、前記取付面の前記発光素子が取り付けられた部分と反対側の裏面と、の間に空気の流路が形成され、
前記枠体の内側面と前記取付面の裏面との間の隙間に、前記取付面の裏面に沿う前記空気の流路に面して前記発光素子の電源装置を設け、
前記電源装置は、前記枠体の内側面に対して傾斜して配置されて、前記電源装置により、前記取付面の裏面に沿う前記空気の流路の一部の幅が狭められていることを特徴とする照明器具。
【請求項２】
前記電源装置には電源カバーが設けられていることを特徴とする請求項１に記載の照明器具。
【請求項３】
前記電源カバーは、前記枠体の内側面に沿って設けられていることを特徴とする請求項２に記載の照明器具。
【請求項４】
前記枠体の内側面と前記取付面との間で前記取込口の上方に隙間を空けて前記電源装置を保持する保持部を備えたことを特徴とする請求項１乃至３のいずれかに記載の照明器具。
【請求項５】
前記枠体を天井に固定する固定具を備えるとともに、天井側の前記取付面に前記固定具に対向する対向面を設け、
前記固定具と前記対向面との間の空間に電源接続部を配置したことを特徴とする請求項１乃至４のいずれかに記載の照明器具。
【請求項６】
前記取付面の前記発光素子を覆い光を透過するカバーを有し、
前記カバーは、断面形状の少なくとも一部が前記取付面の傾斜に沿った形状であることを特徴とする請求項１乃至５のいずれかに記載の照明器具。
【発明の詳細な説明】
【技術分野】
【０００１】
本発明は、発光素子を光源とする照明器具に関する。
【背景技術】
【０００２】
天井に設けられる照明器具として、従来、枠体内に蛍光灯等の光源を内蔵した照明器具が知られている。また近年、発光素子の高輝度化に伴い、小型、低消費電力、長寿命等の特性を有するＬＥＤ等の発光素子を光源として備える照明器具が種々提案されている（例えば、特許文献１参照）。
【先行技術文献】
【特許文献】
【０００３】
【特許文献１】特開２０１１−０４９１５４号公報
【発明の概要】
【発明が解決しようとする課題】
【０００４】
しかしながら、ＬＥＤ等の発光素子を光源として用いる場合には、発光素子の発熱を効率よく放熱させる必要があるため、より効果的な放熱構造が望まれている。
本発明は、上述した事情に鑑みてなされたものであり、放熱性を向上させた照明器具を提供することを目的とする。
【課題を解決するための手段】
【０００５】
上記目的を達成するために、本発明は、天井に配置される枠体に、発光素子を取り付ける取付面を有する取付体を前記枠体の内側面に沿って隙間を空けて設け、前記発光素子の光が前記枠体の開口から側方に向かうように前記取付体を傾斜させ、前記開口側の前記枠体と前記取付体の間に、前記取付面の裏面側に空気を取り込む取込口が設けられて、前記枠体の内側面と、前記取付面の前記発光素子が取り付けられた部分と反対側の裏面と、の間に空気の流路が形成され、前記枠体の内側面と前記取付面の裏面との間の隙間に、前記取付面の裏面に沿う前記空気の流路に面して前記発光素子の電源装置を設け、前記電源装置は、前記枠体の内側面に対して傾斜して配置されて、前記電源装置により、前記取付面の裏面に沿う前記空気の流路の一部の幅が狭められていることを特徴とする。
【０００６】
上記構成において、前記電源装置には電源カバーが設けられていてもよい。
上記構成において、前記電源カバーは、前記枠体の内側面に沿って設けられていてもよい。
【０００７】
上記構成において、前記枠体の内側面と前記取付面との間で前記取込口の上方に隙間を空けて前記電源装置を保持する保持部を備えてもよい。
【０００８】
上記構成において、前記枠体を天井に固定する固定具を備えるとともに、天井側の前記取付面に前記固定具に対向する対向面を設け、前記固定具と前記対向面との間の空間に電源接続部を配置してもよい。
上記構成において、前記取付面の前記発光素子を覆い光を透過するカバーを有し、前記カバーは、断面形状の少なくとも一部が前記取付面の傾斜に沿った形状であってもよい。
【発明の効果】
【０００９】
本発明によれば、天井に配置される枠体に、発光素子を取り付ける取付面を枠体の内側面に沿って隙間を空けて設け、発光素子の光が枠体の開口から側方に向かうように取付面を傾斜させ、開口側の枠体と取付面の間に、取付面の裏側に空気を取り込む取込口を設けるため、取込口から取り込まれて取付面の裏側に沿って流れる空気に発光素子の熱を放熱することができるので、放熱性を向上させることができる。
【図面の簡単な説明】
【００１０】
【図１】本発明の第１の実施の形態に係る天井用照明器具（照明器具）を示す概観斜視図である。
【図２】天井用照明器具を前面側から示す図である。
【図３】天井用照明器具を背面側から示す斜視図である。
【図４】固定具を分解した天井用照明器具を背面側から示す斜視図である。
【図５】器具本体を示す分解斜視図である。
【図６】カバーを省略した天井用照明器具を前面側から示す図である。
【図７】図２のＶＩＩ−ＶＩＩ断面を示す図である。
【図８】電源ユニットを正面側から示す斜視図である。
【図９】電源ユニットを背面側から示す斜視図である。
【図１０】電源ユニットの組み付けを示す図である。
【図１１】電源ユニットの組み付けを示す図である。
【図１２】電源ユニットの組み付けを示す図である。
【図１３】電源ユニットの組み付けを示す図である。
【図１４】本発明の第２の実施の形態に係る天井用照明器具を前面側から示す図である。
【図１５】図１４のＸＶ−ＸＶ断面を示す図である。
【図１６】本発明の変形例に係る天井用照明器具を前面側から示す図である。
【図１７】図１６のＸＶＩＩ−ＸＶＩＩ断面を示す図である。
【図１８】本発明の他の変形例に係る天井用照明器具を前面側から示す図である。
【発明を実施するための形態】
【００１１】
以下、図面を参照して本発明の実施の形態について説明する。
＜第１の実施の形態＞
図１は、第１の実施の形態に係る天井用照明器具を示す概観斜視図である。図２は天井用照明器具を前面側から示す図であり、図３は天井用照明器具を背面側から示す斜視図である。また、図４は、固定具を分解した天井用照明器具を背面側から示す斜視図である。
これらの図に示すように、天井用照明器具（照明器具）１は、例えば工場やバックヤード等のいわゆる中天井（４ｍ〜５ｍ程度）と言われる比較的高い天井面等に直付け設置される直付形照明器具であり、器具本体３に、光源５を収容して構成されている。
【００１２】
器具本体３は、前面及び背面を開口した略矩形状の枠体７と、この枠体７の前面開口６Ａ側に設けたカバー９とを備えており、この器具本体３は固定具１０を介して天井に設置される。本実施の形態の枠体７は、図２に示すように、長手方向に延びる長手枠７Ａと、短手方向に延びる短手枠７Ｂとを有し、枠体７内には、図４に示すように、両側の短手枠７Ｂに対向するように、短手枠７Ｂの内側面７Ｂ１に沿う内壁７Ｃが設けられている。なお、この内壁７Ｃは省略してもよい。各枠７Ａ，７Ｂの上部には、内側に鉤状に延出する延出部７Ａ２，７Ｂ２が設けられている。また、長手枠７Ａの内側面７Ａ１と延出部７Ａ２との連結部分は隅部７Ａ３となっている。
【００１３】
固定具１０は、図３及び図４に示すように、枠体７の背面を覆う本体１１と、本体１１を補強する本体補強体１３とを備えている。本体１１には、短手枠７Ｂの延出部７Ｂ２に係合する係合部１１Ａが設けられている。本体補強体１３は、本体１１の天井面側の略中央に長手方向に沿って設けられ、ねじ１２によって固定される。なお、本体補強体１３の固定方法はねじでなくてもよく、また、本体補強体１３を省略してもよい。
本体１１及び本体補強体１３には、略中央部に、商用電源などの電源ケーブル（電力線）を引き込む引込孔１５Ａ，１５Ｂが形成され、引込孔１５Ａ，１５Ｂの両側には、器具本体３を天井面に鋲などで留め付けるための留付孔１７Ａ，１７Ｂがそれぞれ設けられている。引込孔１５Ａ，１５Ｂには、電源ケーブルを保護する配線保護材１８が取り付けられている。
器具本体３は、天井面に留め付けられた固定具１０にねじ１９によって固定されることにより、天井面に直接設置される。
【００１４】
図５は、器具本体３を示す分解斜視図である。図６はカバー９を省略した天井用照明器具１を下方から示す図である。図７は図２のＶＩＩ−ＶＩＩ断面を示す図である。
これらの図に示すように、器具本体３内には、光源５を支持する取付体２０と、光源５に電力を供給する複数（本実施の形態では、２つ）の電源ユニット（電源装置）３０とが設けられている。取付体２０は、熱伝導性の高い材料（例えば、アルミニウム）で形成され、光源５が取り付けられる一対の取付面２１を備えている。各取付面２１は、長手枠７Ａの内側面７Ａ１に沿って隙間Ｒを空けて設けられており、その上部が長手枠７Ａの内側面７Ａ１から離れる方向に傾斜している。本実施の形態の取付体２０は、薄板を折り曲げることにより、一対の取付面２１と、一対の取付面２１を連結する凹底面（対向面）２３と、枠体７に支持される支持面２５とを一体に有し、中央が凹状に形成されている。
凹底面２３は固定具１０に対向して設けられており、凹底面２３の裏面には、電源端子台（電源接続部）２７が設けられている。電源端子台２７には、固定具１０の引込孔１５Ａ，１５Ｂから引き込まれた電源ケーブルが速結接続され、この電源端子台２７から電気配線を介して電源ユニット３０に給電される。
【００１５】
カバー９は、光源５の光を透過する材料（例えば樹脂材）によって形成され、正面視において取付体２０と略同一の大きさに形成されている。本実施の形態のカバー９は、光源５の照射光を拡散して放射するように、拡散効果を有する樹脂材で形成されている。また、このカバー９は、取付体２０の取付面２１に対向する傾斜面９Ａと、傾斜面９Ａを連結する凹底面９Ｂと、枠体７に支持される支持面９Ｃとを有し、中央が凹状に形成されている。これにより、天井用照明器具１の体積が小さくなるので、圧迫感を抑制できる。
これらのカバー９及び取付体２０は、この順で枠体７上に互いに一部が重なるように配置され、重なる部分において、保持部４３を貫通する押しねじ２９によって枠体７に固定される。
【００１６】
器具本体３には、図２及び図７に示すように、枠体７と取付面２１の間に、取付面２１の裏側に空気を取り込む取込口４１が設けられている。取込口４１は、長手枠７Ａに沿って延びており、取込口４１には、内側面７Ａ１と取付面２１との間で、取込口４１の上方に隙間δを空けて電源ユニット３０を保持する保持部４３が設けられている。本実施の形態の保持部４３は、枠体７の下面から略鉛直に起立する起立部４３Ａと、起立部４３Ａの端部から取付面２１に向けて略水平に延出して電源ユニット３０を支持する支持部４３Ｂとを有して断面略Ｌ字状に形成され、長手枠７Ａに一体に設けられている。起立部４３Ａと支持部４３Ｂとが連結する部分は電源ユニット３０を係止する枠体側係止部４３Ｃを構成している。
【００１７】
また、器具本体３には、図３及び図７に示すように、取付面２１の裏側に取り込まれた空気を排出する排出口４５が設けられている。本実施の形態では、固定具１０の本体１１を枠体７の背面開口６Ｂよりも小さく形成することで、本体１１と長手枠７Ａとの間に排出口４５を形成しているが、排出口４５の位置はこれに限定されるものではなく、器具本体３の任意の位置に排出口４５を形成できる。
このように、器具本体３に取込口４１及び排出口４５を設けることで、器具本体３内には、図７に矢印で示すように、取込口４１から取り込まれた空気が取付面２１の裏面に沿って流れて排出口４５から器具本体３の外部に排出される空気の流路Ｆが形成される。
【００１８】
光源５は、図６に示すように、基板５１上に複数（本実施の形態では、１５個）のＬＥＤ（発光素子）５３を一列に密に配列してなる線状光源５０を４つ有しており、１５０ＷクラスのＨＩＤ（Ｈｉｇｈ  Ｉｎｔｅｎｓｉｔｙ  Ｄｉｓｃｈａｒｇｅ）ランプと略同等の出力を実現する。本実施の形態のＬＥＤ５３は、ＬＥＤ素子を覆うように半球状のレンズを設けたレンズ付ＬＥＤとして構成されるが、レンズを省略する構成であってもよい。
４つのうち２つの線状光源５０は一方側の長手枠７Ａに沿って直線状に配置され、残り２つの線状光源５０は他方側の長手枠７Ａに沿って直線状に配置されている。これらの線状光源５０は、傾斜した取付面２１に取り付けられているため、ＬＥＤ５３の光が枠体７の開口６Ａから側方に向かうこととなる。
【００１９】
２つの電源ユニット３０は、図４及び図７に示すように、それぞれ両側の長手枠７Ａに沿って配置され、内側面７Ａ１に寄せて固定されている。すなわち、電源ユニット３０は、内側面７Ａ１と取付面２１との間の空気の流路Ｆに面して配置されている。
これら２つの電源ユニット３０は、複数（４つ）の線状光源５０に供給する電力を分担している。例えば、長手枠７Ａの一方側に配置された電源ユニット３０はこの電源ユニット３０の近くに配置された２つの線状光源５０に電力を供給し、長手枠７Ａの他方側に配置された電源ユニット３０は、残り２つの線状光源５０に電力を供給するように構成される。
このように、２つの電源ユニット３０に複数（４つ）の線状光源５０に供給する電力を分担させたため、電源ユニット３０のうち一の電力供給が停止しても、他の電力供給によって線状光源５０の一部を点灯させることができる。
【００２０】
図８は電源ユニット３０を正面側から示す斜視図であり、図９は電源ユニット３０を背面側から示す斜視図である。
電源ユニット３０は、電源３１と、絶縁シート３３と、電源カバー３５とを備えている。電源３１は、電源基板３１Ａの部品実装面上に電子部品を実装して構成されており、この電源３１には、電源端子台２７（図７）から延びる電気配線によって電源供給される。なお、電源ユニット３０については、電源基板３１Ａの部品実装面側を正面、電源基板３１Ａの裏面側を背面として説明する。
絶縁シート３３は、電源３１を囲むように例えば筒状に形成された絶縁部材であり、電源３１と電源カバー３５の間の絶縁性能を高めている。
【００２１】
電源カバー３５は、アルミニウム等の高熱伝導材製のカバーであり、上板３５Ａと、後板３５Ｂと、下板３５Ｃとを有して断面略コ字状に形成され、上板３５Ａの先端部には、上板３５Ａに略直交して上側に延出する鍔部３５Ｄが設けられている。本実施の形態の電源カバー３５は、一枚の薄板を折り曲げることによって、上板３５Ａ、後板３５Ｂ、下板３５Ｃ、及び鍔部３５Ｄが一体に形成されている。鍔部３５Ｄの先端部３５Ｄ１の両角部３５Ｄ２は尖った形状をしている。
下板３５Ｃは、内側（上側）に傾斜する傾斜面３５Ｅを有し、傾斜面３５Ｅには、外側に突出して枠体７の保持部４３に設けられた枠体側係止部４３Ｃ（図７）に係合する電源側係止部３５Ｆが形成されている。電源３１は、電源基板３１Ａの裏面が電源カバー３５の後板３５Ｂに面するように配置され、スペーサ３７によって後板３５Ｂから離して支持されている。
【００２２】
次に、図５及び図１０〜図１３を参照し、器具本体３の組み立て方法について説明する。
図１０〜図１３は、電源ユニット３０の組み付けを示す図である。
まず、図５に示すように、長手枠７Ａ及び短手枠７Ｂを嵌め合わせ枠体７を形成する。このとき、内壁７Ｃを短手枠７Ｂの内側に配置して短手枠７Ｂに固定する。次いで、カバー９を枠体７内に配置するとともに、光源５及び電源端子台２７を組み付けた取付体２０を枠体７内のカバー９の上に配置し、カバー９及び取付体２０を押しねじ２９によって枠体７に固定する。
【００２３】
電源ユニット３０を枠体７に組み付ける際には、図１０に示すように、電源ユニット３０を、取付面２１の裏面と、長手枠７Ａの上部の延出部７Ａ２との間に配置する。次に、図１１に示すように、電源ユニット３０の鍔部３５Ｄを延出部７Ａ２の内側に入れる。次いで、図１２に示すように、鍔部３５Ｄの先端部３５Ｄ１を長手枠７Ａの上部の隅部７Ａ３に当て、電源ユニット３０を、先端部３５Ｄ１を略中心に回転させて、保持部４３と長手枠７Ａの延出部７Ａ２との間に差し込む。そして、図１３に示すように、電源ユニット３０を、電源側係止部３５Ｆが保持部４３の枠体側係止部４３Ｃに係合するまで、枠体７の内側面７Ａ１に向けて押し込む。傾斜面３５Ｅが保持部４３の支持部４３Ｂに当接して支持される。
このように、電源ユニット３０を、ねじ止めをすることなく枠体７に固定できるので、部品点数を削減できるとともに、製造工程を簡略化できる。しかも、鍔部３５Ｄの角部３５Ｄ２は尖った形状をしているため、長手枠７Ａの隅部７Ａ３に入り込むので、電源ユニット３０を枠体７に取り付けた後も、電源ユニット３０が移動することがない。なお、本実施の形態では、電源側係止部３５Ｆと枠体側係止部４３Ｃとを凸状として係合させていたが、電源側係止部３５Ｆ及び枠体側係止部４３Ｃの形状はこれに限定されるものではなく適宜変更可能である。
【００２４】
器具本体３を天井面に直接設置する際には、先に固定具１０を天井面に留め付け、固定具１０の係合部１１Ａに枠体７の延出部７Ｂ２を引っ掛けることで、枠体７を固定具１０に仮止めできる。この状態で、電源ケーブルを電源端子台２７に接続し、その後、固定具１０に器具本体３をねじ１９により固定する。
【００２５】
次に、図７を参照し、本実施の形態の作用について説明する。
枠体７と取付面２１の間に、取付面２１の裏側に空気を取り込む取込口４１が設けられているため、取込口４１から空気が取り込まれるとともに、取り込まれた空気が取付面２１の裏側に沿って流れるので、取付面２１の裏側を流れる空気にＬＥＤ５３の熱を放熱することができる。しかも、取込口４１を下側に設けたため、空気を強制的に流すファン等の機器を設けなくても、熱の対流によって下側から上側に向かう空気の流れを作ることができる。また、排出口４５を上側に設けたため、取込口４１から取り込まれた空気が円滑に流れるので、ＬＥＤ５３の熱を効果的に放熱できる。
【００２６】
枠体７の内側面７Ａ１と取付面２１との間に電源ユニット３０を保持する保持部４３を備えたため、電源ユニット３０を内側面７Ａ１と取付面２１との間の隙間Ｒに配置できるので、枠体７を短手方向に短くすることができる。また、保持部４３は、取込口４１の上方に隙間δを空けて電源ユニット３０を保持するように構成されるので、内側面７Ａ１と取付面２１との間の空気の流路Ｆを塞ぐことなく電源ユニット３０を配置できる。さらに、電源ユニット３０は空気の流路Ｆに面して配置されているため、流路Ｆを流れる空気によって電源ユニット３０を冷却できる。これに加え、保持部４３は、枠体７の下面から取付面２１の裏面に向けて延出するように形成されるため、取込口４１から取り込まれた空気が保持部４３に案内され、取付面２１の裏面に沿って流れやすくなり、光源５の熱を効果的に放熱できる。
【００２７】
このように、光源５の熱を効果的に冷却することができるので、光源５を取り付けた取付体２０に電源端子台２７を取り付けることができる。すなわち、電源ユニット３０を配置することによってできた取付体２０の凹底面２３と固定具１０との間の空間Ｓに電源端子台２７を配置できるので、枠体７を長手方向や短手方向に長くする必要がなく、枠体７を小型化できる。
また、電源端子台２７や電源ユニット３０を固定具１０側ではなく器具本体３側に設けたため、天井用照明器具１の設置時には、電源ケーブルを電源端子台２７に接続するだけでよく、天井用照明器具１を容易に設置できる。
【００２８】
以上説明したように、本実施の形態によれば、天井用照明器具１は、天井に配置される枠体７に、ＬＥＤ５３を取り付ける取付面２１を枠体７の内側面７Ａ１に沿って隙間Ｒを空けて設け、ＬＥＤ５３の光が枠体７の開口６Ａから側方に向かうように取付面２１を傾斜させ、開口６Ａ側の枠体７と取付面２１の間に、取付面２１の裏側に空気を取り込む取込口４１を設ける構成とする。この構成により、取込口４１から取り込まれて取付面２１の裏側に沿って流れる空気にＬＥＤ５３の熱を放熱することができるので、放熱性を向上させることができる。
【００２９】
また、本実施の形態によれば、枠体７の内側面７Ａ１と取付面２１との間の空気の流路Ｆに面してＬＥＤ５３の電源ユニット３０を設けたため、ＬＥＤ５３とともに電源ユニット３０を冷却することができる。
【００３０】
また、本実施の形態によれば、枠体７の内側面７Ａ１と取付面２１との間で取込口４１の上方に隙間δを空けて電源ユニット３０を保持する保持部４３を備えたため、電源ユニット３０を枠体７の内側面７Ａ１と取付面２１との間の隙間Ｒに配置でき、天井用照明器具１００を小型化できる。
【００３１】
また、本実施の形態によれば、枠体７を天井に固定する固定具１０を備えるとともに、天井側の取付面２１に固定具１０に対向する凹底面２３を設け、固定具１０と凹底面２３との間の空間Ｓに電源端子台２７を配置する構成とする。この構成により、例えば電源端子台２７を取付面２１と枠体７の内側面７Ａ１との間の隙間Ｒに配置する場合に比べ、枠体７を長手方向や短手方向に小さくできる。
【００３２】
＜第２の実施の形態＞
次に、図１４及び図１５を参照して本発明に係る第２の実施の形態を説明する。
図１４は第２の実施の形態に係る天井用照明器具１００を前面側から示す図であり、図１５は図１４のＸＶ−ＸＶ断面を示す図である。
これらの図に示す天井用照明器具１００では、カバー９及び取付体２０が枠体７の下面から隙間Ｄを空けて配置されており、枠体７とカバー９及び取付体２０との間の隙間Ｄが取込口１４１となっている。
なお、天井用照明器具１００は、上下方向の取込口１４１を備える以外は、第１の実施の形態で説明した天井用照明器具１と略同様の構成を有するため、天井用照明器具１と同様の構成については同一の符号を付して説明を省略する。
【００３３】
但し、上記実施の形態は本発明の一態様であり、本発明の趣旨を逸脱しない範囲において適宜変更可能であるのは勿論である。
例えば、上記実施の形態では、枠体７を略矩形状に形成し、長手枠７Ａの両側に線状光源５０を設けていたが、これに限定されるものではない。例えば、図１６及び図１７に示す天井用照明器具２００のように、長手枠７Ａの一方側のみに線状光源５０を設けてもよい。この場合、長手枠７Ａの他方側について、カバー９の傾斜面９Ａ及び支持面９Ｃと、取付体２０の取付面２１及び支持面２５を省略すればよい。
また、線状光源５０を短手枠７Ｂ側に設けてもよい。
さらに、図１８に示す天井用照明器具３００のように、枠体３０７を略正方形状に形成し、各枠２０７Ａに線状光源５０を設けてもよい。
【００３４】
また、上記実施の形態では、カバー９は、取付体２０に沿って中央が凹状に形成されていたが、平板状に形成されてもよい。また、カバー９は、拡散効果を有する材料で形成されていたが、拡散効果を有さない材料で形成してもよい。さらに、カバー９は、取付体２０と略同等の大きさに形成していたが、取込口４１よりも大きく形成してもよい。この場合、カバーに取込口を設ければよい。なお、カバー９を省略してもよい。
【００３５】
また、上記実施の形態では、ＬＥＤを光源に備えた天井用照明器具を例示したが、本発明はこれに限定されるものではなく、例えば有機ＥＬ等の他の発光素子を光源に備える天井用照明器具にも適用可能である。
また、上記実施の形態では、天井用照明器具は、天井面等に直付け設置される直付形照明器具として説明したが、これに限定されるものではなく、例えば、天井から吊り下げられる吊下形照明器具や、天井面の下方に天井空間を介して設けられる天井板に埋め込まれる埋込形照明器具であってもよい。
また、上記実施の形態では、照明器具を天井に設ける天井用照明器具として説明したが、照明器具はこれに限定されず、例えば壁に設ける壁付形であってもよい。
【符号の説明】
【００３６】
１，１００，２００，３００  天井用照明器具（照明器具）
６Ａ  開口
７  枠体
７Ａ１  内側面
１０  固定具
２１  取付面
２３  凹底面（対向面）
２７  電源端子台（電源接続部）
３０  電源ユニット（電源装置）
４１，１４１  取込口
４３  保持部
５３  ＬＥＤ（発光素子）
Ｆ  流路
Ｒ  隙間
Ｓ  空間
δ  隙間
【図１】
0005935397.tif 000002
【図２】
0005935397.tif 000003
【図３】
0005935397.tif 000004
【図４】
0005935397.tif 000005
【図５】
0005935397.tif 000006
【図６】
0005935397.tif 000007
【図７】
0005935397.tif 000008
【図８】
0005935397.tif 000009
【図９】
0005935397.tif 000010
【図１０】
0005935397.tif 000011
【図１１】
0005935397.tif 000012
【図１２】
0005935397.tif 000013
【図１３】
0005935397.tif 000014
【図１４】
0005935397.tif 000015
【図１５】
0005935397.tif 000016
【図１６】
0005935397.tif 000017
【図１７】
0005935397.tif 000018
【図１８】
0005935397.tif 000019